(57)【要約】【課題】タッピングねじを壁中にねじ込んだ状態のまま、手摺りブラケット類の固定座を自在に脱着して壁紙のくりぬきや穴あけを行なうことができ、手摺り設置工事の簡易化と能率向上を図ることができる手摺りブラケット類の固定具を提供する。【解決手段】固定座を壁面に固定すべく固定座に設けた通孔を介して壁体にねじ込む手段であり、タッピングねじ軸と前記通孔よりも径小の頭部を有するねじ本体と下端に通孔よりも径が大きく固定座面に当接する鍔を有する着脱用ねじをセットした状態でタッピングねじ軸を壁内にねじ込んで固定座を固定し、その後、着脱用ねじをねじ本体から取り外すことで固定座をねじ本体から抜き取り可能としている。【選択図】図４
2009097675.tif 000002
【特許請求の範囲】
【請求項１】
固定座を壁面に固定すべく固定座に設けた通孔を介して壁体にねじ込む手段であって、所要長さのタッピングねじ軸と前記通孔よりも径小の頭部を有するねじ本体と、下端に通孔よりも径が大きく固定座面に当接する鍔を有する着脱用ねじからなり、前記ねじ本体の頭部は外周に雄ねじを有するとともに頂端に工具との係合部を有し、着脱用ねじが多角形の外周と前記雄ねじに螺合する雌ねじ穴を有し、ねじ本体と着脱用ねじをセットした状態でタッピングねじ軸を壁内にねじ込んで固定座を固定し、その後着脱用ねじをねじ本体から取り外すことで固定座をねじ本体から抜き取り可能としていることを特徴とする手摺りブラケット類の固定具。
【請求項２】
固定座を壁面に固定すべく固定座に設けた通孔を介して壁体にねじ込む手段であって、所要長さのタッピングねじ軸と前記通孔よりも径小でかつ所要深さの雌ねじ穴を軸線方向に有する頭部を持ったねじ本体と、前記雌ねじ穴に螺合可能な雄ねじ軸を有する着脱用ねじと、該着脱用ねじの雄ねじ軸を挿通する穴を有するガイド座金からなり、ガイド座金は、外周に前記ねじ本体の頭部よりも径が大きく先端が固定座面に当接する環状突壁を有し、環状突壁の天部内側に前記ねじ本体の頭部端と接するテーパー面を有し、ねじ本体と着脱用ねじおよびガイド座金をセットした状態でタッピングねじ軸を壁内にねじ込んで固定座を固定し、その後着脱用ねじとガイド座金をねじ本体から取り外すことで固定座をねじ本体から抜き取り可能としていることを特徴とする手摺りブラケット類の固定具。
【請求項３】
ねじ本体が頭部の雌ねじ穴よりも入口側に多角穴を有している請求項２に記載の手摺りブラケット類の固定具。
【請求項４】
ガイド座金が天部上面に凹条を数箇所有し、着脱用ねじが頭部下面に前記凹条と係合可能な鋸歯状の突条を有している請求項２に記載の手摺りブラケット類の固定具。
【発明の詳細な説明】
【技術分野】
【０００１】
本発明は手摺りブラケット類の設置工事に好適な固定具に関する。
【背景技術】
【０００２】
住宅などにおける廊下、階段、スロープにはバリヤフリーの一貫として、壁に沿って手摺りを設置することが多くなっている。こうした手摺りは棒状をなしていて、一定間隔たとえば１〜２ｍごとに手摺りブラケット（受け金具）で壁に支持されるのが通例である。
【０００３】
手摺りブラケットは、基本的には手摺り棒の受け座と、壁などへの固定座とそれらを繋ぐアーム部からなっている。こうした手摺りブラケットの壁面への取り付けが、クロスなどの壁紙を貼る前の施工である場合には、壁面に墨出しあるいは墨入れをし、これを基準線として手摺りブラケットを所定間隔で配してブラケットを構成する固定座を実際に固定し、配列の適否などを確認後、固定座を壁面から除去し、固定座の位置と大きさにあわせて壁紙に穴を設けて壁面に貼り、その状態で再度同じ位置に前記固定座を固定することになる。
【０００４】
固定座の位置と大きさにあわせて壁紙に穴を設けるのは、壁紙の上に手摺りブラケットの固定座を取り付けると、壁紙にしわがよったり、壁紙が装飾のための凹凸表面を有する場合には固定座が浮いてぴったりと固定されなくなったりするからである。
なお、手摺りを追加工事で設置するとき、すなわち壁紙があらかじめ貼ってある場合も、やはり手摺りブラケットの固定座を通して壁内にねじをねじ込んで仮止めを行い、ついでねじを取り外して固定座を壁面から除去し、固定座の位置と大きさにあわせて壁紙に穴を設け、その状態で再度同じ位置に手摺り受け金具の固定座を固定することになる。
【０００５】
しかし、従来の手摺りブラケットの固定手段は、皿頭状の頭部とタッピングねじ軸からなる単純なタッピングねじであり、このタッピングねじを壁内にねじ込んで固定座を固定し、墨出し後タッピングねじを壁内から抜き出して固定座を外し、壁紙の加工の後に再び固定座をタッピングねじで固定する作業が必要であるので、面倒であった。
しかも、近年の壁材は、石膏ボードと密度の比較的低い合板の積層構造となっていることが多く、タッピングねじをねじ込み、壁紙の穴あけのための固定座取り外し時にタッピングねじを逆に回動して取り外し、再度、本固定のためのねじ込みを行うことにより、固定力が低下して手摺りブラケットの強固な固定を図りえない可能性がある。
【発明の開示】
【発明が解決しようとする課題】
【０００６】
本発明は前記のような問題点を解消するためになされたもので、その目的とするところは、固定座を固定するタッピングねじを壁中にねじ込んだ状態のまま、固定座を自在に脱着して壁紙のくりぬきや穴あけを行なうことができ、工事の簡易化と能率向上を図ることができる手摺りブラケット類の固定具を提供することにある。
本発明は手摺りブラケットの仮止め・本固定に好適であるほか、仮止め・本固定が必要な建築用、建設用の各種ブラケットや金具のねじ止め手段に適用される。
【課題を解決するための手段】
【０００７】
上記目的を達成するため第１発明は、固定座を壁面に固定すべく固定座に設けた通孔を介して壁体にねじ込む手段であって、所要長さのタッピングねじ軸と前記通孔よりも径小の頭部を有するねじ本体と、下端に通孔よりも径が大きく固定座面に当接する鍔を有する着脱用ねじからなり、前記ねじ本体の頭部は外周に雄ねじを有するとともに頂端に工具との係合部を有し、着脱用ねじが多角形の外周と前記雄ねじに螺合する雌ねじ穴を有し、ねじ本体と着脱用ねじをセットした状態でタッピングねじ軸を壁内にねじ込んで固定座を固定し、その後着脱用ねじをねじ本体から取り外すことで固定座をねじ本体から抜き取り可能としていることを特徴としている。
【０００８】
また、本発明の第２発明は、固定座を壁面に固定すべく固定座に設けた通孔を介して壁体にねじ込む手段であって、所要長さのタッピングねじ軸と前記通孔よりも径小でかつ所要深さの雌ねじ穴を軸線方向に有する頭部を持ったねじ本体と、前記雌ねじ穴に螺合可能な雄ねじ軸を有する着脱用ねじと、該着脱用ねじの雄ねじ軸を挿通する穴を有するガイド座金からなり、ガイド座金は、外周に前記ねじ本体の頭部よりも径が大きく先端が固定座面に当接する環状突壁を有し、環状突壁の天部内側に前記ねじ本体の頭部端と接するテーパー面を有し、ねじ本体と着脱用ねじおよびガイド座金をセットした状態でタッピングねじ軸を壁内にねじ込んで固定座を固定し、その後着脱用ねじとガイド座金をねじ本体から取り外すことで固定座をねじ本体から抜き取り可能としていることを特徴としている。
【発明の効果】
【０００９】
第１発明によるときには、固定座の通孔にねじ本体を配し、ねじ本体の頭部頂を電動工具に係合して回動することによりタッピングねじ軸が壁中にねじ込まれ、着脱用ねじの鍔が固定座を押えることで固定座が締め付け固定される。
この状態で、着脱用ねじをレンチ類で緩めることでねじ本体から取り外せば、ねじ本体の頭部は固定座の通孔よりも径が細いので、タッピングねじ軸を壁内から取り外す要なく固定座を壁面から取り去ることができる。
【００１０】
したがって、手摺りブラケットをかわすための壁紙の切り抜き、あるいは切り取り加工など固定座の部位の壁紙を除去する作業を簡単に行うことができ、能率向上を図ることができ、また、一度壁にねじ込んだタッピングねじを再度ねじ込むことによる固定力の低下を回避することができる。
【００１１】
第２発明によれば、ねじ本体にセットされている着脱用ねじを電動工具により回動させることで全体が推進し、ねじ本体のタッピングねじが壁に埋め込まれ、ガイド座金の環状突壁先端が固定座面に当接することにより固定座が締め付け固定される。
この状態で、着脱用ねじを逆方向に回動すれば、ねじ本体の頭部先端がガイド座金のテーパー面と線接触しているだけで摩擦が少なく、しかも、環状突壁の固定座面への当接により一定以上の締め付けが規制されるので、ねじ本体と着脱用ねじ、ねじ本体とガイド座金の焼き付きが生じない。
【００１２】
したがって、ねじ本体は共回りせず、着脱用ねじとガイド座金だけをねじ本体から取り外すことができる。ねじ本体の頭部は固定座の通孔よりも径が細いので、固定座を壁面から自在に取り去ることができる。それゆえ、ブラケットをかわすための壁紙の切り抜き、あるいは切り取り加工など固定座の部分にある壁紙を除去する作業を簡単にし、能率向上を図ることができ、また、一度壁にねじ込んだタッピングねじを再度ねじ込むことによる固定力の低下を回避することができる。
【発明を実施するための最良の形態】
【００１３】
第２発明において、ねじ本体が頭部の雌ねじ穴より入口側に多角穴を有している。
これによれば、多角穴に六角軸を先端に有するねじ型治具を嵌めて回動することにより、ねじ本体を壁から抜き出すころができる。したがって、後に解体する場合の作業も簡単に実施できる。
【００１４】
第２発明において、ガイド座金が天部上面に凹条を数箇所有し、着脱用ねじが頭部下面に前記凹条と係合可能な鋸歯状の突条を有している。
これによれば、ねじ本体を壁中にねじ込む時には、突条が凹条に嵌まって一体化されているが、ガイド座金と着脱用ねじをねじ本体から取り外すときには、着脱用ねじの回動初期に突条が凹条から外れて平坦部分に接触し、それにより着脱用ねじとガイド座金との間に隙間ができる。したがって、着脱用ねじのねじ本体からの抜き出しが容易になる。
【実施例１】
【００１５】
以下添付図面を参照して本発明の実施例を説明すると、  図１ないし図7は本発明による手摺りブラケット類の固定具の第１実施例を示しており、図１において、１は手摺りブラケット、２は手摺りブラケット１を取り付けるべき壁体、３は固定具である。
壁体２はこの例では下地材としての石膏ボード２ａと、固定用の強度部材としての合板２ｂの積層構造からなっているが、これに限定されるものではない。
【００１６】
手摺りブラケット１はダイキャスト製、板金製など任意であり、前記壁体２の表面上に配されてねじ要素で固定されるべき固定座１０と、手摺り棒を固定する受け座１１と、前記受け座１１と固定座１０を結ぶ湾曲状あるいはストレート状の腕部１２を備えている。
前記固定座１０は所要面積の盤からなり、所用の間隔で３箇所ないし４箇所にねじ挿通用の通孔１００を有している。
【００１７】
固定具３は図３に単体の状態を示されており、ねじ本体３ａと着脱用ねじ３ｂとの組合せからなっている。ねじ本体３ａは、前記手摺りブラケット１の固定座１０に設けた通孔１００よりも径が細い頭部３０と、これに連設され回動により壁体２内を切り込んでいくタッピングねじ軸３１を有し、頭部３０には外周に雄ねじ３２が刻設されている。この雄ねじ３２の外径は通孔１００よりも小さい。そして、前記頭部３０の頂には回転トルクを与える工具に対する係合部３３この例ではプラス溝が設けられている。
【００１８】
前記着脱用ねじ３ｂは、前記通孔１００よりも外径の大きい六角形状をなし、軸方向端部に固定座１０の表面に当接可能な鍔３４を有しており、内部にはねじ本体３ａの頭部雄ねじ３２に外嵌して螺合する雌ねじ穴３５を有している。
【００１９】
この第１実施例においては、図３（ａ）のようにねじ本体３ａの頭部に着脱用ねじ３ｂを螺合したセット状態の固定具３とし、手摺り設置対象の壁面に墨入れあるいは墨出しし、この線Ｌにあわせて所定間隔で手摺りブラケット１を壁にあてがい、固定具３にて固定する。
【００２０】
図１はこの工程を示しており、（ａ）のようにねじ本体３ａのタッピングねじ軸３１を固定座１０の通孔１００を通して壁体２に押し当て、ねじ本体３ａの頭部３０の係合部３３に電動工具Ｅたとえば十字ドライバーを係合させてねじ本体３ａを回動する。これによりタッピングねじ軸３１が石膏ボード２ａを貫き合板２ｂにねじ込まれる。前記ねじ込みは着脱用ねじ３ｂの鍔３４が固定座１０に当接するまで行なわれ、これで図１（ｂ）と図２のように、固定座１０は壁体２の上にしっかりと固定された状態になる。
なお、固定座の固定に固定具３は必ずしも全部の本数を使用する必要はなく、２本程度使用し、残りを本固定時に使用してもよい。
【００２１】
こうした固定を所定間隔ごとに行い、複数の手摺りブラケット１の配列が適正であるか確認されたならば、壁紙Ｐを壁体表面に貼る前に、いったん手摺りブラケット１を取り外し、各固定座１０の位置において固定座１０の輪郭あるいはそれよりも小さな輪郭で穴をあける。これは、固定座１０の固定に伴う壁紙の皺よりや、壁紙による固定座の浮きを解消するためである。
【００２２】
従来では、手摺りブラケット１の取り外しは、固定座１０を固定していたタッピングねじを逆回転して壁体から抜き取る必要があったが、本発明においては、こうした作業を要さない。すなわち、図４のように、外形が六角形をなしている着脱用ねじ３ｂに、所要の工具Ｆたとえば電動ボックスレンチを嵌合して回動する。これによりねじ本体３ａの頭部雄ねじ３２から着脱用ねじ３ｂが離脱する。この第１実施例では、着脱用ねじ３ｂは、ねじ本体３ａを壁体に固定する際に回動されないので焼き付きなどが生じず、容易にねじ本体から離脱することができる。
【００２３】
これによりねじ本体３ａは図５のように通孔１００の径よりも細い頭部３０が固定座１０から突出している状態になるので、固定座１０を簡単、自在に取り外すことができる。
この状態では、壁体表面にねじ本体３ａの頭部３０が突き出しているので適切な位置情報となり、壁紙Ｐをあてがってそのまま頭部３０に突き通したり、あるいはナイフなどで図６のように各頭部３０間を結ぶような適当な大きさの穴ｐを壁紙Ｐに開ける。
【００２４】
こうしたならば、手摺りブラケット１の固定座１０の通孔１００をねじ本体３ａの頭部３０に通して壁面に当て、図7のように着脱用ねじ3ｂの雌ねじ穴３５を頭部雄ねじ３２に合わせ、所要の工具Ｆたとえば電動ボックスレンチを嵌合して回動し、鍔３４が固定座１０の表面にしっかりと当接するまで螺合緊締する。
これにより本固定が行なわれるので、簡易、迅速に手摺り設置工事を遂行することができ、従来のような仮止めしたタッピングねじを壁体から取り外し、再びねじ込まないので、壁体２の密度や材質があまり良くない場合でも確実に十分な固定強度を得ることができる。
【実施例２】
【００２５】
図８〜図１３は本発明の固定具３の第２実施例を示している。
この実施例においても、手摺りブラケット１は、前記壁体２の表面上に配されてねじ要素で固定されるべき固定座１０と、手摺り棒を固定する受け座１１と、前記受け座１１と固定座１０を結ぶ湾曲状あるいはストレート状の腕部１２を備え、前記固定座１０は所要面積の盤からなり、等間隔で３箇所ないし４箇所にねじ挿通用の通孔１００を有している。なお、手摺りブラケット１はプラスチック製のカバーを備えているが、ここでは省略する。
【００２６】
この実施例における固定具３は、図９に単体の状態で示すように、所要長さのタッピングねじ軸３１に続いて通孔１００よりも径小な頭部３０を持ったねじ本体３ａと、前記ねじ本体３ａにトルクを与えるべく頭部３０に着脱される着脱用ねじ３ｄと、固定座１０の押し付け手段のほか着脱用ねじ3ｄとねじ本体３ａとの焼きつき防止手段を兼ねたガイド座金３ｃとからなっている。
【００２７】
前記ねじ本体３ａの頭部３０は、この例では、頂部から横断形状が六角の穴３００とこれと同心で所要深さの雌ねじ穴３０１を軸線方向に順次設けており、着脱用ねじ３ｄは、十字溝を有する頭部３６に前記雌ねじ穴３０１に螺合可能な長さの雄ねじ軸３７を有する小ねじからなっている。なお、六角穴３００は設けなくてもよい。
ガイド座金３ｃは、天板部に前記着脱用ねじ３ｄの雄ねじ軸３６を挿通する穴３７０を有するのみならず、天板部外周には、前記固定座１０の通孔１００よりも径が大きく先端が固定座１０に当接して締め付け力を与えるための環状突壁３８を有して全体が浅いカップ状に凹入されている。環状突壁３８の内径はねじ本体３ａの頭部３０の外径よりも大きくなっている。
【００２８】
そして、天板部と環状突壁３８の付け根すなわち凹入角部には、進入したねじ本体頭部３０の端との接触圧を低減し、隙間を形成するためのテーパー面３９が形成されている。
前記ガイド座金３ｅは着脱用ねじ３ｄの雄ねじ軸３７に通されるだけでも良いが、好適には、着脱用ねじ３ｄの頭部下から適度の距離は移動できるが離脱はしないようにセットされる。これは、ガイド座金３ｃを雄ねじ未加工状態の軸に嵌め、その状態で雄ねじを刻むことなどにより得られる。
【００２９】
固定具３は図９（ａ）に示すセット状態で使用され、第１実施例と同じように、手摺り設置対象の壁面に墨入れあるいは墨出しした線Ｌにあわせて所定間隔で手摺りブラケット１を壁にあてがい、固定座１０の通孔１００を通してタッピングねじ軸３１を位置させ、図８のように電動工具Ｅを着脱用ねじ３ｄの頭部３６に係合してトルクを与える。
【００３０】
着脱用ねじ３ｄとねじ本体３ａは雌ねじ穴３０１と雄ねじ軸３７との螺合関係で一体化しており、着脱用ねじ３ｄの頭部とガイド座金３ｃの天板部は重なり合っているので、ねじ本体３ａのタッピングねじ軸３１が壁体２内を推進する。そして、図１０のように、脱着用座金３ｅの環状突壁３８の先端面が固定座１０の表面に当接することによりそれ以上推進しなくなり、取り付けが終わる。
【００３１】
こうして各手摺りブラケット１を仮止めして配置の適否を確認したならば、壁紙を貼るべく手摺りブラケット１を取り外すが、このときには、図１１（ａ）のように電動工具Ｅを着脱用ねじ３ｄの頭部３６に係合して緩め側のトルクをかけ、着脱用ねじ３ｄをねじ本体３ａと分離する。
着脱用ねじ３ｄの頭部下面がねじ本体３ａの頭部先端と密に接していたならば、前記壁中への推進固定トルクを与えているときに焼き付きを起こし、着脱用ねじ３ｄに戻しトルクをかけたときにねじ本体３ａが友回りして壁中から抜け出てしまう危険がある。
【００３２】
しかし、本発明はガイド座金３ｃの凹入部の角にテーパー面３９を形成してここにねじ本体３ａの頭部３０の端縁を接触させているので接触面積が少なく、しかも前記のように壁中へ推進したときに、環状突壁３８の先端面を固定座１０の表面に当接させて、それ以上テーパー面３９とねじ本体頭部３０の端縁との接触圧が増加しないようにし、ねじ本体頭部頂面とガイド座金３ｅの天板部間に隙間を創成させるので、図１１（ａ）のように着脱用ねじ３ｄの雄ねじ軸３７がねじ本体３ａの雌ねじ穴３０１から抜け出し、雄ねじ軸3７にガイド座金３ｃが引っかかって一緒に外れる。
【００３３】
これにより図１１（ｂ）のようにねじ本体３ａの径の細い頭部３０が固定座１０の通孔１００から少し突出している状態になるので、固定座１０を壁面から自在に取り外すことができ、第１実施例と同じように壁紙Ｐに穴を開けて壁体表面に貼り付けた後、固定座１０を通孔１００を介してねじ本体３ａの頭部３０に挿通し、図１２のように再び着脱用ねじ３ｄとガイド座金３ｃのアッセンブリーを使用し、着脱用ねじ３ｄの雄ねじ軸３７をねじ本体３ａの雌ねじ穴３０１にねじ込むことによりガイド座金３ｃの環状突壁３８で固定座１０を壁面にしっかり押圧固定することができる。したがって、手摺り設置工事を簡易迅速に行なうことができる。
【００３４】
なお、第２実施例において、設置した手摺りブラケットを解体、撤去するような場合には、図１３のように着脱用ねじ３ｄを取り外した状態で、先端に六角軸部７０を有するレンチねじ７をねじ本体３ａの頭部３０の穴３００に嵌め回動させることによりねじ本体３ａを壁体から抜き出すことができる。しかし、このような要求がない場合には、ねじ本体３ａの頭部の六角穴３００は設けていなくてもよい。
【００３５】
なお、図１４のように、ガイド座金３ｃは天板部の上面に凹条３０４を数箇所設け、着脱用ねじ３ｄの頭部下面に前記凹条３０４と係合可能な鋸歯状の突条３６１を設けてもよい。
これによれば、ねじ本体3aを壁中にねじ込む時には、突条３６１が凹条３０４に嵌まって一体化されているが、ガイド座金３ｃと着脱用ねじ３ｄを取り外すときには、着脱用ねじ３ｄの回動初期に突条３６１が凹条３０４から外れて平坦部分に接触し、それにより着脱用ねじ３ｄとガイド座金３ｃとの間に隙間ができる。したがって、着脱用ねじ３ｄのねじ本体３ａからの抜き出しが容易になる。
【００３６】
なお本発明は上記実施例に限定されるものではなく、各種の態様を採りえるものである。
第１実施例および第２実施例において、手摺りブラケットは、固定座が２体からなっている場合を含む。すなわち図１５のように、固定座１０と湾部１２と支持座１１からなる基本部体1Ａと別に、板金製などの固定座１Ｂを併用し、固定座1Ｂのみをねじ本体で壁体に固定し、固定座1ＢにビスＪで基本部体1Ａの固定座１０を留める形態があるが、本発明の固定具３はかかる形態における固定座1Ｂの壁体への固定に適用されるのである。
【００３７】
本発明は、壁紙を貼ってある壁面へ手摺りを設置する場合にも適用されることは元よりであり、手摺りブラケット１を仮固定して配置の適正を確認後、手摺りブラケット1を取り外し、すでに貼ってある壁紙を図7のようにくりぬき、手摺りブラケットを本固定する場合に好適であり、ねじ本体３ａを壁中にねじ込み固定したままで済むため、非常に容易に工事を行なえる。
【図面の簡単な説明】
【００３８】
【図１】（ａ）は本発明による手摺りブラケット固定具の第1実施例を固定段階で示す側面図、（b）は固定状態の部分切欠側面図である。
【図２】固定状態の正面図である。
【図３】（ａ）は本発明固定具のセット状態を示す断面図、（b）は平面図、（c）は分解状態の部分切欠側面図である。
【図４】固定解除の第1段階を示す側面図である。
【図５】固定解除の第2段階（手摺りブラケット取り外し段階）の側面図である。
【図６】壁紙処理状態の部分的正面図である。
【図７】壁紙貼り後の手摺りブラケット本固定段階の側面図である。
【図８】本発明による手摺りブラケット固定具の第２実施例を固定段階で示す側面図
【図９】（ａ）は第２実施例の固定具の部分切欠側面図、（ｂ）は一部拡大図、（ｃ）は分解状態図、（ｄ）は（ｃ）のＸ−Ｘ線に沿う断面図である。
【図１０】（ａ）は手摺りブラケットの固定状態の側面図、（ｂ）はその一部拡大図である。
【図１１】（ａ）は固定解除の第1段階を示す側面図、（ｂ）は固定解除の第2段階（手摺りブラケット取り外し段階）の側面図である。
【図１２】壁紙貼り後の手摺りブラケット本固定段階の側面図である。
【図１３】手摺りブラケット解体の工具例と使用状態を示す側面図である。
【図１４】（ａ）は第２実施例における小ねじと脱着用座金の他例を示す側面図、（ｂ）はこねじ頭部の背面図、（ｃ）は脱着用座金の平面図である。
【図１５】（ａ）は本発明を適用できる手摺りブラケットの他の形態を示す平面図、（ｂ）固定状態の側面図である。
【符号の説明】
【００３９】
１  手摺りブラケット
２  壁体
３  固定具
３ａ  ねじ本体
３ｂ  着脱用ねじ
３ｃ  ガイド座金
３ｄ  着脱用ねじ
１０、1Ｂ  固定座
３０  頭部
３２  雄ねじ
３４  鍔
３５  雌ねじ穴
３６  頭部
３７  雄ねじ軸
３８  環状突壁
３９  テ―パー面
１００  通孔
３０１  雌ねじ穴
【図１】
2009097675.tif 000003
【図２】
2009097675.tif 000004
【図３】
2009097675.tif 000005
【図４】
2009097675.tif 000006
【図５】
2009097675.tif 000007
【図６】
2009097675.tif 000008
【図７】
2009097675.tif 000009
【図８】
2009097675.tif 000010
【図９】
2009097675.tif 000011
【図１０】
2009097675.tif 000012
【図１１】
2009097675.tif 000013
【図１２】
2009097675.tif 000014
【図１３】
2009097675.tif 000015
【図１４】
2009097675.tif 000016
【図１５】
2009097675.tif 000017